(57)【要約】【課題】  印刷設定が指定されて印刷が実行されるための操作を容易化することができる画像形成装置および装置制御プログラムを提供する。【解決手段】  プリンターに印刷を実行させるコピー開始ボタンをタッチパネルに表示させるＭＦＰは、タッチパネルに対する操作のうちコピー開始ボタンを起点としたスワイプに対する印刷設定を管理し、スワイプが実行される場合に（Ｓ１４８でＹＥＳ）、実行されるスワイプに対して管理している印刷設定を適用してプリンターに印刷を実行させる（Ｓ１５２）ことを特徴とする。【選択図】  図７
2016045905.tif 000002
【特許請求の範囲】
【請求項１】
表示デバイスおよび入力デバイスの両方の機能を有するタッチパネルと、
記録媒体に印刷を実行する印刷デバイスと、
前記タッチパネルにおける表示内容を制御する表示制御手段と、
前記印刷デバイスによって実行される印刷における印刷設定を管理する印刷設定管理手段と、
前記印刷デバイスを制御する印刷制御手段とを備え、
前記表示制御手段は、前記印刷デバイスに印刷を実行させる印刷実行ボタンを前記タッチパネルに表示させ、
前記印刷設定管理手段は、前記タッチパネルに対する操作のうち前記印刷実行ボタンを起点とした移動操作に対する前記印刷設定を管理し、
前記印刷制御手段は、前記移動操作が実行される場合に、実行される前記移動操作に対して前記印刷設定管理手段によって管理されている前記印刷設定を適用して前記印刷デバイスに印刷を実行させることを特徴とする画像形成装置。
【請求項２】
前記印刷設定管理手段は、複数種類の前記移動操作のそれぞれに対して異なる前記印刷設定を管理可能であることを特徴とする請求項１に記載の画像形成装置。
【請求項３】
前記印刷設定管理手段は、複数種類の画面のそれぞれの前記移動操作に対して異なる前記印刷設定を管理可能であることを特徴とする請求項１または請求項２に記載の画像形成装置。
【請求項４】
前記印刷設定管理手段は、前記移動操作に対する前記印刷設定の指定を受け付けることを特徴とする請求項１から請求項３までの何れかに記載の画像形成装置。
【請求項５】
前記表示制御手段は、前記タッチパネルにおける前記印刷実行ボタンの部分に触れられている場合に、前記移動操作に対する前記印刷設定の内容を表示することを特徴とする請求項１から請求項４までの何れかに記載の画像形成装置。
【請求項６】
前記表示制御手段は、前記タッチパネルにおける前記印刷実行ボタンの部分に触れられている場合に、前記移動操作に対する前記印刷設定の内容を、前記印刷実行ボタンに対して前記移動操作の方向に存在する位置に配置して表示することを特徴とする請求項５に記載の画像形成装置。
【請求項７】
表示デバイスおよび入力デバイスの両方の機能を有するタッチパネルと、
記録媒体に印刷を実行する印刷デバイスとを備えた画像形成装置によって実行される装置制御プログラムであって、
前記タッチパネルにおける表示内容を制御する表示制御手段、
前記印刷デバイスによって実行される印刷における印刷設定を管理する印刷設定管理手段、および、
前記印刷デバイスを制御する印刷制御手段として前記画像形成装置を機能させ、
前記表示制御手段は、前記印刷デバイスに印刷を実行させる印刷実行ボタンを前記タッチパネルに表示させ、
前記印刷設定管理手段は、前記タッチパネルに対する操作のうち前記印刷実行ボタンを起点とした移動操作に対する前記印刷設定を管理し、
前記印刷制御手段は、前記移動操作が実行される場合に、実行される前記移動操作に対して前記印刷設定管理手段によって管理されている前記印刷設定を適用して前記印刷デバイスに印刷を実行させることを特徴とする装置制御プログラム。
【発明の詳細な説明】
【技術分野】
【０００１】
本発明は、タッチパネルに表示された印刷実行ボタンに対する操作によって印刷デバイスに印刷を実行させる画像形成装置および装置制御プログラムに関する。
【背景技術】
【０００２】
従来の画像形成装置として、印刷デバイスによって実行される印刷における印刷設定をタッチパネルに対する操作に応じて指定可能であるとともに、タッチパネルにおける印刷実行ボタンの部分に触れられた場合に印刷デバイスに印刷を実行させるものが知られている（例えば、特許文献１参照。）。
【先行技術文献】
【特許文献】
【０００３】
【特許文献１】特開２０１３−１５３４４２号公報
【発明の概要】
【発明が解決しようとする課題】
【０００４】
しかしながら、従来の画像形成装置おいては、印刷設定が指定されて印刷が実行される場合に、印刷設定を指定するための画面に遷移してから印刷設定の指定の操作が行われた後で、印刷の実行の操作が実行される必要があるので、操作が煩雑であるという問題がある。
【０００５】
そこで、本発明は、印刷設定が指定されて印刷が実行されるための操作を容易化することができる画像形成装置および装置制御プログラムを提供することを目的とする。
【課題を解決するための手段】
【０００６】
本発明の画像形成装置は、表示デバイスおよび入力デバイスの両方の機能を有するタッチパネルと、記録媒体に印刷を実行する印刷デバイスと、前記タッチパネルにおける表示内容を制御する表示制御手段と、前記印刷デバイスによって実行される印刷における印刷設定を管理する印刷設定管理手段と、前記印刷デバイスを制御する印刷制御手段とを備え、前記表示制御手段は、前記印刷デバイスに印刷を実行させる印刷実行ボタンを前記タッチパネルに表示させ、前記印刷設定管理手段は、前記タッチパネルに対する操作のうち前記印刷実行ボタンを起点とした移動操作に対する前記印刷設定を管理し、前記印刷制御手段は、前記移動操作が実行される場合に、実行される前記移動操作に対して前記印刷設定管理手段によって管理されている前記印刷設定を適用して前記印刷デバイスに印刷を実行させることを特徴とする。
【０００７】
この構成により、本発明の画像形成装置は、移動操作が実行される場合に、実行される移動操作に対して管理している印刷設定を適用して印刷デバイスに印刷を実行させるので、印刷設定が指定されて印刷が実行されるための操作を容易化することができる。
【０００８】
また、本発明の画像形成装置において、前記印刷設定管理手段は、複数種類の前記移動操作のそれぞれに対して異なる前記印刷設定を管理可能であっても良い。
【０００９】
この構成により、本発明の画像形成装置は、移動操作が実行される場合に、実行される移動操作の種類に応じた印刷設定を適用して印刷デバイスに印刷を実行させることができる。
【００１０】
また、本発明の画像形成装置において、前記印刷設定管理手段は、複数種類の画面のそれぞれの前記移動操作に対して異なる前記印刷設定を管理可能であっても良い。
【００１１】
この構成により、本発明の画像形成装置は、移動操作が実行される場合に、実行される移動操作と、移動操作が実行される画面の種類とに応じた印刷設定を適用して印刷デバイスに印刷を実行させることができる。
【００１２】
また、本発明の画像形成装置において、前記印刷設定管理手段は、前記移動操作に対する前記印刷設定の指定を受け付けても良い。
【００１３】
この構成により、本発明の画像形成装置は、移動操作に対する印刷設定の指定を受け付けるので、移動操作に応じて適用する印刷設定の内容を利用者の好みに応じて変更させることができる。
【００１４】
また、本発明の画像形成装置において、前記表示制御手段は、前記タッチパネルにおける前記印刷実行ボタンの部分に触れられている場合に、前記移動操作に対する前記印刷設定の内容を表示しても良い。
【００１５】
この構成により、本発明の画像形成装置は、移動操作を実行することによって適用される印刷設定の内容を利用者に認識させることができるので、利便性を向上することができる。
【００１６】
また、本発明の画像形成装置において、前記表示制御手段は、前記タッチパネルにおける前記印刷実行ボタンの部分に触れられている場合に、前記移動操作に対する前記印刷設定の内容を、前記印刷実行ボタンに対して前記移動操作の方向に存在する位置に配置して表示しても良い。
【００１７】
この構成により、本発明の画像形成装置は、移動操作を実行することによって適用される印刷設定の内容を利用者に直感的に認識させることができる。
【００１８】
本発明の装置制御プログラムは、表示デバイスおよび入力デバイスの両方の機能を有するタッチパネルと、記録媒体に印刷を実行する印刷デバイスとを備えた画像形成装置によって実行される装置制御プログラムであって、前記タッチパネルにおける表示内容を制御する表示制御手段、前記印刷デバイスによって実行される印刷における印刷設定を管理する印刷設定管理手段、および、前記印刷デバイスを制御する印刷制御手段として前記画像形成装置を機能させ、前記表示制御手段は、前記印刷デバイスに印刷を実行させる印刷実行ボタンを前記タッチパネルに表示させ、前記印刷設定管理手段は、前記タッチパネルに対する操作のうち前記印刷実行ボタンを起点とした移動操作に対する前記印刷設定を管理し、前記印刷制御手段は、前記移動操作が実行される場合に、実行される前記移動操作に対して前記印刷設定管理手段によって管理されている前記印刷設定を適用して前記印刷デバイスに印刷を実行させることを特徴とする。
【００１９】
この構成により、本発明の装置制御プログラムは、移動操作が実行される場合に、実行される移動操作に対して管理している印刷設定を適用して印刷デバイスに印刷を実行させるので、印刷設定が指定されて印刷が実行されるための操作を容易化することができる。
【発明の効果】
【００２０】
本発明の画像形成装置および装置制御プログラムは、印刷設定が指定されて印刷が実行されるための操作を容易化することができる。
【図面の簡単な説明】
【００２１】
【図１】本発明の一実施の形態に係るＭＦＰのブロック図である。
【図２】図１に示すタッチパネルに表示されるコピー画面の一例を示す図である。
【図３】図１に示すスワイプ設定テーブルの一例を示す図である。
【図４】コピー画面におけるコピー開始ボタンを起点としたスワイプに対する印刷設定の指定を受け付ける場合の図１に示すＭＦＰの動作のフローチャートである。
【図５】図１に示すタッチパネルに表示されるスワイプ設定画面の一例を示す図である。
【図６】コピーのモードにおける図１に示すＭＦＰの動作のフローチャートである。
【図７】図６の続きのフローチャートである。
【図８】スワイプに対する印刷設定の内容が表示されている図２に示すコピー画面の一例を示す図である。
【図９】図６に示す「縮小／拡大」設定処理のフローチャートである。
【図１０】図１に示すタッチパネルに表示される「縮小／拡大」設定画面の一例を示す図である。
【図１１】スワイプに対する印刷設定の内容が表示されている図１０に示す「縮小／拡大」設定画面の一例を示す図である。
【発明を実施するための形態】
【００２２】
以下、本発明の一実施の形態について、図面を用いて説明する。
【００２３】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００２４】
図１は、本実施の形態に係るＭＦＰ１０のブロック図である。
【００２５】
図１に示すように、ＭＦＰ１０は、種々の操作が入力されるボタンなどの入力デバイスである操作部１１と、種々の情報を表示する表示デバイスおよび種々の操作が入力される入力デバイスの両方の機能を有するタッチパネル１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部１７と、ＭＦＰ１０全体を制御する制御部１８とを備えている。
【００２６】
図２は、タッチパネル１２に表示されるコピー画面２０の一例を示す図である。
【００２７】
図２に示すコピー画面２０は、スキャナー１３によって原稿から読み取られた画像をプリンター１４によって記録媒体に印刷する「コピー」の機能を実行することができることを通知するためのメッセージ２１と、印刷される記録媒体のサイズの設定を実行するための「用紙選択」設定ボタン２２と、原稿から読み取られた画像の縮小または拡大の設定を実行するための「縮小／拡大」設定ボタン２３と、原稿から読み取られた画像の濃度の設定を実行するための「濃度」設定ボタン２４と、記録媒体の両面に印刷する両面印刷、および、両面の原稿や片面に２ページ分が配置された見開き原稿から１ページ分ずつ読み取る分割印刷の設定を実行するための「両面／分割」設定ボタン２５と、複数枚の原稿を１枚の記録媒体に集約してコピーするページ集約の設定を実行するための「ページ集約」設定ボタン２６と、複数枚の原稿と同一のページ順に並んだ印刷物を必要な部数だけ生成するソート、および、印刷物を１部毎に区別可能な状態で排紙する仕分けの設定を実行するための「ソート／仕分け」設定ボタン２７と、コピーの実行を開始する印刷実行ボタンとしてのコピー開始ボタン２８とを含む。「用紙選択」設定ボタン２２、「縮小／拡大」設定ボタン２３、「濃度」設定ボタン２４、「両面／分割」設定ボタン２５、「ページ集約」設定ボタン２６および「ソート／仕分け」設定ボタン２７は、それぞれ、コピーにおける印刷設定を実行するためのボタンである。
【００２８】
「用紙選択」設定ボタン２２は、現在の設定内容を表示する設定内容表示領域２２ａを備えている。図２に示す例では、設定内容表示領域２２ａには、印刷される記録媒体のサイズとしてＡ４サイズが設定されていることが示されている。「用紙選択」設定ボタン２２が押されると、印刷される記録媒体のサイズを設定するための「用紙選択」設定画面に遷移する。「用紙選択」設定画面にも、コピー開始ボタン２８が含まれている。
【００２９】
「縮小／拡大」設定ボタン２３は、現在の設定内容を表示する設定内容表示領域２３ａを備えている。図２に示す例では、設定内容表示領域２３ａには、原稿から読み取られた画像の縮小または拡大の設定として、原稿から読み取られた画像を縮小も拡大もしない「１００％」が設定されていることが示されている。「縮小／拡大」設定ボタン２３が押されると、原稿から読み取られた画像の縮小または拡大を設定するための「縮小／拡大」設定画面に遷移する。「縮小／拡大」設定画面にも、コピー開始ボタン２８が含まれている。
【００３０】
「濃度」設定ボタン２４は、現在の設定内容を表示する設定内容表示領域２４ａを備えている。図２に示す例では、設定内容表示領域２４ａには、原稿から読み取られた画像の濃度の設定として、原稿から読み取られた画像を濃くも薄くもしない「ふつう０」が設定されていることが示されている。「濃度」設定ボタン２４が押されると、原稿から読み取られた画像の濃度を設定するための「濃度」設定画面に遷移する。「濃度」設定画面にも、コピー開始ボタン２８が含まれている。
【００３１】
「両面／分割」設定ボタン２５は、現在の設定内容を表示する設定内容表示領域２５ａを備えている。図２に示す例では、設定内容表示領域２５ａには、両面印刷および分割印刷の設定として、片面の原稿から読み取った画像を記録媒体の片面に印刷する「片面→片面」が設定されていることが示されている。「両面／分割」設定ボタン２５が押されると、両面印刷および分割印刷を設定するための「両面／分割」設定画面に遷移する。「両面／分割」設定画面にも、コピー開始ボタン２８が含まれている。
【００３２】
「ページ集約」設定ボタン２６は、現在の設定内容を表示する設定内容表示領域２６ａを備えている。図２に示す例では、設定内容表示領域２６ａには、ページ集約の設定として、ページ集約を実行しないことを示す「なし」が設定されていることが示されている。「ページ集約」設定ボタン２６が押されると、ページ集約を設定するための「ページ集約」設定画面に遷移する。「ページ集約」設定画面にも、コピー開始ボタン２８が含まれている。
【００３３】
「ソート／仕分け」設定ボタン２７は、現在の設定内容を表示する設定内容表示領域２７ａを備えている。図２に示す例では、設定内容表示領域２７ａには、ソートおよび仕分けの設定として、「ソート」が設定されていることが示されている。「ソート／仕分け」設定ボタン２７が押されると、ソートおよび仕分けを設定するための「ソート／仕分け」設定画面に遷移する。「ソート／仕分け」設定画面にも、コピー開始ボタン２８が含まれている。
【００３４】
図１に示すように、記憶部１７は、タッチパネル１２に表示されたコピー開始ボタン２８（図２参照。）に対する操作によってプリンター１４に印刷を実行させる装置制御プログラム１７ａを記憶している。
【００３５】
記憶部１７は、タッチパネル１２に対する操作のうちコピー開始ボタン２８を起点とした移動操作としてのスワイプに対する印刷設定を示すスワイプ設定テーブル１７ｂを記憶している。
【００３６】
図３は、スワイプ設定テーブル１７ｂの一例を示す図である。
【００３７】
図３に示すスワイプ設定テーブル１７ｂには、画面の種類毎、および、スワイプの種類毎に、印刷設定が対応付けられている。例えば、図３に示すスワイプ設定テーブル１７ｂによれば、コピー画面２０において、コピー開始ボタン２８を起点として上方向にスワイプされる場合には、印刷される記録媒体のサイズとして、Ａ４サイズが設定される。なお、図３において、「自動サイズ」とは、原稿のサイズと同一のサイズを自動的に設定する設定である。また、図３において、「キャンセル」とは、プリンター１４による印刷の実行を中止する設定である。
【００３８】
図１に示す制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００３９】
制御部１８は、記憶部１７に記憶されている装置制御プログラム１７ａを実行することによって、タッチパネル１２における表示内容を制御する表示制御手段１８ａ、プリンター１４によって実行される印刷における印刷設定を管理する印刷設定管理手段１８ｂ、および、プリンター１４を制御する印刷制御手段１８ｃとして機能する。
【００４０】
次に、ＭＦＰ１０の動作について説明する。
【００４１】
まず、コピー開始ボタン２８を起点としたスワイプに対する印刷設定の指定を受け付ける場合のＭＦＰ１０の動作について説明する。
【００４２】
ＭＦＰ１０は、コピー画面２０におけるコピー開始ボタン２８を起点としたスワイプに対する印刷設定の指定を受け付ける処理の開始が操作部１１を介して指示されると、図４に示す動作を実行する。
【００４３】
図４は、コピー画面２０におけるコピー開始ボタン２８を起点としたスワイプに対する印刷設定の指定を受け付ける場合のＭＦＰ１０の動作のフローチャートである。
【００４４】
図４に示すように、表示制御手段１８ａは、図５に示すようなスワイプ設定画面３０をタッチパネル１２に表示させる（Ｓ１０１）。
【００４５】
図５は、コピー画面２０におけるコピー開始ボタン２８を起点としたスワイプに対する印刷設定の指定を受け付けるためのスワイプ設定画面３０の一例を示す図である。
【００４６】
図５に示すように、スワイプ設定画面３０は、コピー開始ボタン２８を示す画像３１と、コピー開始ボタン２８を起点とした上方向、左上方向、左方向、左下方向、下方向、右下方向、右方向、右上方向へのスワイプをそれぞれ示す画像３２ａ、３３ａ、３４ａ、３５ａ、３６ａ、３７ａ、３８ａ、３９ａと、コピー開始ボタン２８を起点とした上方向、左上方向、左方向、左下方向、下方向、右下方向、右方向、右上方向へのスワイプに対する印刷設定をそれぞれ示す画像３２ｂ、３３ｂ、３４ｂ、３５ｂ、３６ｂ、３７ｂ、３８ｂ、３９ｂと、設定を中止するためのキャンセルボタン４０と、設定を決定するためのＯＫボタン４１とを含んでいる。
【００４７】
利用者は、タッチパネル１２において画像３２ｂに触れることによって、コピー開始ボタン２８を起点とした上方向へのスワイプに対する新たな印刷設定を指定することができる。画像３２ｂについて説明したが、画像３３ｂ、３４ｂ、３５ｂ、３６ｂ、３７ｂ、３８ｂおよび３９ｂについても同様である。
【００４８】
なお、利用者は、画像３２ｂ、３３ｂ、３４ｂ、３５ｂ、３６ｂ、３７ｂ、３８ｂおよび３９ｂの何れか２つ以上に同一の印刷設定を指定することも可能である。
【００４９】
図４に示すように、印刷設定管理手段１８ｂは、Ｓ１０１の処理の後、ＯＫボタン４１が押されたか否かを判断する（Ｓ１０２）。
【００５０】
印刷設定管理手段１８ｂは、ＯＫボタン４１が押されていないとＳ１０２において判断すると、キャンセルボタン４０が押されたか否かを判断する（Ｓ１０３）。
【００５１】
印刷設定管理手段１８ｂは、キャンセルボタン４０が押されていないとＳ１０３において判断すると、Ｓ１０２の処理を実行する。
【００５２】
印刷設定管理手段１８ｂは、キャンセルボタン４０が押されたとＳ１０３において判断すると、図４に示す動作を終了する。
【００５３】
印刷設定管理手段１８ｂは、ＯＫボタン４１が押されたとＳ１０２において判断すると、ＯＫボタン４１が押された時点でスワイプ設定画面３０において指定されている設定をスワイプ設定テーブル１７ｂに反映する（Ｓ１０４）。すなわち、印刷設定管理手段１８ｂは、コピー開始ボタン２８を起点としたスワイプに対する印刷設定の指定を受け付ける。
【００５４】
印刷設定管理手段１８ｂは、Ｓ１０４の処理が終了すると、図４に示す動作を終了する。
【００５５】
なお、ＭＦＰ１０は、図４に示す動作と同様の動作によって、「用紙選択」設定画面など、コピー画面２０以外の画面の種類毎に、コピー開始ボタン２８を起点としたスワイプに対する印刷設定の指定を受け付けることができる。
【００５６】
次に、コピーのモードで動作する場合のＭＦＰ１０の動作について説明する。
【００５７】
ＭＦＰ１０は、コピーのモードで動作することが操作部１１を介して指示されると、図６および図７に示す動作を実行する。
【００５８】
図６は、コピーのモードにおけるＭＦＰ１０の動作のフローチャートである。図７は、図６の続きのフローチャートである。
【００５９】
図６および図７に示すように、表示制御手段１８ａは、図２に示すようなコピー画面２０をタッチパネル１２に表示させる（Ｓ１３１）。
【００６０】
次いで、制御部１８は、「用紙選択」設定ボタン２２が押されたか否かを判断する（Ｓ１３２）。
【００６１】
制御部１８は、「用紙選択」設定ボタン２２が押されたとＳ１３２において判断すると、印刷される記録媒体のサイズを設定するための「用紙選択」設定処理を実行した後（Ｓ１３３）、Ｓ１３１の処理を実行する。
【００６２】
制御部１８は、「用紙選択」設定ボタン２２が押されていないとＳ１３２において判断すると、「縮小／拡大」設定ボタン２３が押されたか否かを判断する（Ｓ１３４）。
【００６３】
制御部１８は、「縮小／拡大」設定ボタン２３が押されたとＳ１３４において判断すると、原稿から読み取られた画像の縮小または拡大を設定するための「縮小／拡大」設定処理を実行した後（Ｓ１３５）、Ｓ１３１の処理を実行する。
【００６４】
制御部１８は、「縮小／拡大」設定ボタン２３が押されていないとＳ１３４において判断すると、「濃度」設定ボタン２４が押されたか否かを判断する（Ｓ１３６）。
【００６５】
制御部１８は、「濃度」設定ボタン２４が押されたとＳ１３６において判断すると、原稿から読み取られた画像の濃度を設定するための「濃度」設定処理を実行した後（Ｓ１３７）、Ｓ１３１の処理を実行する。
【００６６】
制御部１８は、「濃度」設定ボタン２４が押されていないとＳ１３６において判断すると、「両面／分割」設定ボタン２５が押されたか否かを判断する（Ｓ１３８）。
【００６７】
制御部１８は、「両面／分割」設定ボタン２５が押されたとＳ１３８において判断すると、両面印刷および分割印刷を設定するための「両面／分割」設定処理を実行した後（Ｓ１３９）、Ｓ１３１の処理を実行する。
【００６８】
制御部１８は、「両面／分割」設定ボタン２５が押されていないとＳ１３８において判断すると、「ページ集約」設定ボタン２６が押されたか否かを判断する（Ｓ１４０）。
【００６９】
制御部１８は、「ページ集約」設定ボタン２６が押されたとＳ１４０において判断すると、ページ集約を設定するための「ページ集約」設定処理を実行した後（Ｓ１４１）、Ｓ１３１の処理を実行する。
【００７０】
制御部１８は、「ページ集約」設定ボタン２６が押されていないとＳ１４０において判断すると、「ソート／仕分け」設定ボタン２７が押されたか否かを判断する（Ｓ１４２）。
【００７１】
制御部１８は、「ソート／仕分け」設定ボタン２７が押されたとＳ１４２において判断すると、ソートおよび仕分けを設定するための「ソート／仕分け」設定処理を実行した後（Ｓ１４３）、Ｓ１３１の処理を実行する。
【００７２】
印刷制御手段１８ｃは、「ソート／仕分け」設定ボタン２７が押されていないとＳ１４２において判断されると、タッチパネル１２におけるコピー開始ボタン２８の部分に触れられているか否かを判断する（Ｓ１４４）。
【００７３】
制御部１８は、触れられていないとＳ１４４において判断されると、Ｓ１３２の処理を実行する。
【００７４】
表示制御手段１８ａは、触れられているとＳ１４４において判断されると、コピー開始ボタン２８を起点としたスワイプに対する印刷設定の内容を、コピー開始ボタン２８に対してスワイプの方向に存在する位置に配置して表示する（Ｓ１４５）。
【００７５】
図８は、スワイプに対する印刷設定の内容が表示されているコピー画面２０の一例を示す図である。
【００７６】
Ｓ１４５の処理において、表示制御手段１８ａは、スワイプ設定テーブル１７ｂでコピー画面２０に関して設定されているスワイプの方向と、印刷設定との関係に基づいて、例えば図８に示すように、コピー開始ボタン２８を起点としたスワイプに対する印刷設定の内容を、コピー開始ボタン２８に対してスワイプの方向に存在する位置に配置して表示する。
【００７７】
図６および図７に示すように、印刷制御手段１８ｃは、Ｓ１４５の処理の後、タッチパネル１２に触れられていなくなったと判断するまで、タッチパネル１２に触れられていなくなったか否かを判断する（Ｓ１４６）。
【００７８】
表示制御手段１８ａは、タッチパネル１２に触れられていなくなったとＳ１４６において判断されると、コピー開始ボタン２８を起点としたスワイプに対する印刷設定の内容の表示を終了する（Ｓ１４７）。したがって、表示制御手段１８ａは、コピー画面２０を例えば図８に示す状態から図２に示す状態に戻す。
【００７９】
図６および図７に示すように、印刷制御手段１８ｃは、Ｓ１４７の処理が終了すると、タッチパネル１２に触れられていなくなったとＳ１４６において判断される前に、コピー開始ボタン２８を起点としたスワイプが入力されたか否かを判断する（Ｓ１４８）。
【００８０】
印刷制御手段１８ｃは、コピー開始ボタン２８を起点としたスワイプが入力されなかった、すなわち、コピー開始ボタン２８が押されたのみであるとＳ１４８において判断すると、種々の印刷設定に関して現在の設定内容でコピーを実行して（Ｓ１４９）、Ｓ１３２の処理を実行する。
【００８１】
印刷制御手段１８ｃは、コピー開始ボタン２８を起点としたスワイプが入力されたとＳ１４８において判断すると、入力されたスワイプの方向に対してコピー画面２０に関してスワイプ設定テーブル１７ｂにおいて設定されている印刷設定を取得する（Ｓ１５０）。
【００８２】
次いで、印刷制御手段１８ｃは、Ｓ１５０において取得した印刷設定が「キャンセル」であるか否かを判断する（Ｓ１５１）。
【００８３】
印刷制御手段１８ｃは、「キャンセル」であるとＳ１５１において判断すると、Ｓ１３２の処理を実行する。
【００８４】
印刷制御手段１８ｃは、「キャンセル」ではないとＳ１５１において判断すると、Ｓ１５０において取得した印刷設定でコピーを実行する（Ｓ１５２）。例えば、スワイプ設定テーブル１７ｂが図３に示すものである場合に、左上方向のスワイプが入力されたとき、印刷制御手段１８ｃは、Ｂ４サイズの記録媒体を使用してコピーを実行する。なお、印刷制御手段１８ｃは、Ｓ１５０において取得した印刷設定の種類とは異なる種類の印刷設定に関しては、Ｓ１５２において現在の設定内容でコピーを実行する。例えば、Ｓ１５０において取得した印刷設定の種類が「印刷される記録媒体のサイズの設定」である場合に、印刷制御手段１８ｃは、「原稿から読み取られた画像の縮小または拡大の設定」など、「印刷される記録媒体のサイズの設定」とは異なる種類の印刷設定に関しては、Ｓ１５２において現在の設定内容でコピーを実行する。
【００８５】
印刷制御手段１８ｃは、Ｓ１５２の処理の後、Ｓ１３２の処理を実行する。
【００８６】
以下、Ｓ１３３の「用紙選択」設定処理、Ｓ１３５の「縮小／拡大」設定処理、Ｓ１３７の「濃度」設定処理、Ｓ１３９の「両面／分割」設定処理、Ｓ１４１の「ページ集約」設定処理およびＳ１４３の「ソート／仕分け」設定処理を代表して、Ｓ１３５の「縮小／拡大」設定処理について説明する。
【００８７】
図９は、Ｓ１３５の「縮小／拡大」設定処理のフローチャートである。
【００８８】
図９に示すように、表示制御手段１８ａは、図１０に示すような「縮小／拡大」設定画面５０をタッチパネル１２に表示させる（Ｓ１６１）。
【００８９】
図１０は、「縮小／拡大」設定画面５０の一例を示す図である。
【００９０】
図１０に示す「縮小／拡大」設定画面５０は、「コピー」の機能を実行することができることを通知するためのメッセージ２１と、縮小または拡大の倍率の指定を受け付けるスピンボックス５１と、設定を中止するためのキャンセルボタン５２と、設定を決定するためのＯＫボタン５３と、コピー開始ボタン２８とを含む。
【００９１】
図９に示すように、印刷設定管理手段１８ｂは、Ｓ１６１の処理の後、ＯＫボタン５３が押されたか否かを判断する（Ｓ１６２）。
【００９２】
印刷設定管理手段１８ｂは、ＯＫボタン５３が押されていないとＳ１６２において判断すると、キャンセルボタン５２が押されたか否かを判断する（Ｓ１６３）。
【００９３】
印刷制御手段１８ｃは、キャンセルボタン５２が押されていないとＳ１６３において判断されると、タッチパネル１２におけるコピー開始ボタン２８の部分に触れられているか否かを判断する（Ｓ１６４）。
【００９４】
印刷設定管理手段１８ｂは、触れられていないとＳ１６４において判断されると、Ｓ１６２の処理を実行する。
【００９５】
表示制御手段１８ａは、触れられているとＳ１６４において判断されると、コピー開始ボタン２８を起点としたスワイプに対する印刷設定の内容を、コピー開始ボタン２８に対してスワイプの方向に存在する位置に配置して表示する（Ｓ１６５）。
【００９６】
図１１は、スワイプに対する印刷設定の内容が表示されている「縮小／拡大」設定画面５０の一例を示す図である。
【００９７】
Ｓ１６５の処理において、表示制御手段１８ａは、スワイプ設定テーブル１７ｂで「縮小／拡大」設定画面５０に関して設定されているスワイプの方向と、印刷設定との関係に基づいて、例えば図１１に示すように、コピー開始ボタン２８を起点としたスワイプに対する印刷設定の内容を、コピー開始ボタン２８に対してスワイプの方向に存在する位置に配置して表示する。
【００９８】
図９に示すように、印刷制御手段１８ｃは、Ｓ１６５の処理の後、タッチパネル１２に触れられていなくなったと判断するまで、タッチパネル１２に触れられていなくなったか否かを判断する（Ｓ１６６）。
【００９９】
表示制御手段１８ａは、タッチパネル１２に触れられていなくなったとＳ１６６において判断されると、コピー開始ボタン２８を起点としたスワイプに対する印刷設定の内容の表示を終了する（Ｓ１６７）。したがって、表示制御手段１８ａは、「縮小／拡大」設定画面５０を例えば図１１に示す状態から図１０に示す状態に戻す。
【０１００】
図９に示すように、印刷制御手段１８ｃは、Ｓ１６７の処理が終了すると、タッチパネル１２に触れられていなくなったとＳ１６６において判断される前に、コピー開始ボタン２８を起点としたスワイプが入力されたか否かを判断する（Ｓ１６８）。
【０１０１】
印刷制御手段１８ｃは、コピー開始ボタン２８を起点としたスワイプが入力されなかった、すなわち、コピー開始ボタン２８が押されたのみであるとＳ１６８において判断すると、タッチパネル１２に触れられていなくなったとＳ１６６において判断された時点でスピンボックス５１において指定されていた印刷設定でコピーを実行する（Ｓ１６９）。なお、印刷制御手段１８ｃは、スピンボックス５１において指定されていた印刷設定の種類、すなわち、「原稿から読み取られた画像の縮小または拡大の設定」とは異なる種類の印刷設定、例えば、「印刷される記録媒体のサイズの設定」などに関しては、Ｓ１６９において現在の設定内容でコピーを実行する。
【０１０２】
印刷設定管理手段１８ｂは、Ｓ１６９の処理の後、Ｓ１６２の処理を実行する。
【０１０３】
印刷制御手段１８ｃは、コピー開始ボタン２８を起点としたスワイプが入力されたとＳ１６８において判断すると、入力されたスワイプの方向に対して「縮小／拡大」設定画面５０に関してスワイプ設定テーブル１７ｂにおいて設定されている印刷設定を取得する（Ｓ１７０）。
【０１０４】
次いで、印刷制御手段１８ｃは、Ｓ１７０において取得した印刷設定が「キャンセル」であるか否かを判断する（Ｓ１７１）。
【０１０５】
印刷設定管理手段１８ｂは、「キャンセル」であるとＳ１７１において判断されると、Ｓ１６２の処理を実行する。
【０１０６】
印刷制御手段１８ｃは、「キャンセル」ではないとＳ１７１において判断すると、Ｓ１７０において取得した印刷設定でコピーを実行する（Ｓ１７２）。例えば、Ｓ１６５において図１１に示す「縮小／拡大」設定画面５０が表示されていた場合に、左上方向のスワイプが入力されたとき、印刷制御手段１８ｃは、原稿から読み取られた画像を倍率８６％で縮小したコピーを実行する。なお、印刷制御手段１８ｃは、Ｓ１７０において取得した印刷設定の種類とは異なる種類の印刷設定に関しては、Ｓ１７２において現在の設定内容でコピーを実行する。例えば、Ｓ１７０において取得した印刷設定の種類が「原稿から読み取られた画像の縮小または拡大の設定」である場合に、印刷制御手段１８ｃは、「印刷される記録媒体のサイズの設定」など、「原稿から読み取られた画像の縮小または拡大の設定」とは異なる種類の印刷設定に関しては、Ｓ１７２において現在の設定内容でコピーを実行する。
【０１０７】
印刷設定管理手段１８ｂは、Ｓ１７２の処理の後、Ｓ１６２の処理を実行する。
【０１０８】
印刷設定管理手段１８ｂは、キャンセルボタン５２が押されたとＳ１６３において判断すると、図９に示す「縮小／拡大」設定処理を終了する。
【０１０９】
印刷設定管理手段１８ｂは、ＯＫボタン５３が押されたとＳ１６２において判断すると、ＯＫボタン５３が押された時点でスピンボックス５１において指定されている設定を「原稿から読み取られた画像の縮小または拡大の設定」として記憶部１７に記憶して（Ｓ１７３）、図９に示す「縮小／拡大」設定処理を終了する。したがって、図９に示す「縮小／拡大」設定処理の終了後に表示部１２に表示されるコピー画面２０の「縮小／拡大」設定ボタン２３の設定内容表示領域２３ａには、Ｓ１７３において記憶された倍率が表示される。
【０１１０】
以上においては、Ｓ１３５の「縮小／拡大」設定処理について説明したが、Ｓ１３３の「用紙選択」設定処理、Ｓ１３７の「濃度」設定処理、Ｓ１３９の「両面／分割」設定処理、Ｓ１４１の「ページ集約」設定処理およびＳ１４３の「ソート／仕分け」設定処理についても、それぞれの印刷設定の指定を受け付け可能であること、および、それぞれの設定画面に関してスワイプに対してスワイプ設定テーブル１７ｂにおいて設定されている印刷設定でコピーを実行可能であることは同様である。
【０１１１】
以上に説明したように、ＭＦＰ１０は、スワイプが実行される場合に（Ｓ１４８でＹＥＳまたはＳ１６８でＹＥＳ）、実行されるスワイプに対して管理している印刷設定を適用してプリンター１４に印刷を実行させる（Ｓ１５２またはＳ１７２）ので、印刷設定が指定されて印刷が実行されるための操作を容易化することができる。
【０１１２】
ＭＦＰ１０は、図３に示すように、複数種類のスワイプのそれぞれに対して異なる印刷設定を管理可能であるので、スワイプが実行される場合に、実行されるスワイプの種類に応じた印刷設定を適用してプリンター１４に印刷を実行させることができる。
【０１１３】
ＭＦＰ１０は、図３に示すように、複数種類の画面のそれぞれのスワイプに対して異なる印刷設定を管理可能であるので、スワイプが実行される場合に、実行されるスワイプの種類と、スワイプが実行される画面の種類とに応じた印刷設定を適用してプリンター１４に印刷を実行させることができる。
【０１１４】
なお、ＭＦＰ１０は、スワイプに対する印刷設定を利用者毎に管理可能にすることによって、スワイプが実行される場合に、実行されるスワイプの種類と、スワイプが実行される画面の種類と、利用者の識別情報とに応じた印刷設定を適用してプリンター１４に印刷を実行させることも可能である。
【０１１５】
ＭＦＰ１０は、図４に示すように、スワイプに対する印刷設定の指定を受け付けるので、スワイプに応じて適用する印刷設定の内容を利用者の好みに応じて変更させることができる。
【０１１６】
なお、ＭＦＰ１０は、スワイプに対する印刷設定が変更されることができずに固定されている方式でも良い。
【０１１７】
ＭＦＰ１０は、タッチパネル１２におけるコピー開始ボタン２８の部分に触れられている場合に（Ｓ１４４でＹＥＳまたはＳ１６４でＹＥＳ）、スワイプに対する印刷設定の内容を、コピー開始ボタン２８に対してスワイプの方向に存在する位置に配置して表示する（Ｓ１４５またはＳ１６５）ので、スワイプを実行することによって適用される印刷設定の内容を利用者に直感的に認識させることができる。したがって、ＭＦＰ１０は、利便性を向上することができる。
【０１１８】
なお、ＭＦＰ１０は、コピー画面２０においてタッチパネル１２におけるコピー開始ボタン２８の部分に触れられてスワイプされた場合に、「用紙選択」設定ボタン２２などの設定ボタンの設定内容表示領域の内容を、スワイプに対する印刷設定の内容に変更して表示しても良い。この場合にも、ＭＦＰ１０は、スワイプを実行することによって適用される印刷設定の内容を利用者に認識させることができるので、利便性を向上することができる。
【０１１９】
ＭＦＰ１０は、本実施の形態において、スワイプされた後、タッチパネル１２に触れられていなくなった時点で、コピーを開始する。しかしながら、ＭＦＰ１０は、タッチパネル１２に触れられていなくなったか否かに関わらず、スワイプされた時点でコピーを開始しても良い。
【０１２０】
ＭＦＰ１０は、本実施の形態において、印刷設定として、「印刷される記録媒体のサイズの設定」、「原稿から読み取られた画像の縮小または拡大の設定」、「原稿から読み取られた画像の濃度の設定」、「両面印刷および分割印刷の設定」、「ページ集約の設定」および「ソートおよび仕分けの設定」に対応している。しかしながら、ＭＦＰ１０は、他の印刷設定に対応しても良い。例えば、ＭＦＰ１０は、記録媒体の供給トレイを複数備えている場合に、「印刷される記録媒体を供給する供給トレイの設定」に対応しても良い。
【０１２１】
本発明の移動操作は、本実施の形態においてスワイプであるが、フリックなど、スワイプ以外の移動操作であっても良い。
【０１２２】
本発明の画像形成装置は、本実施の形態においてＭＦＰであるが、コピー専用機など、ＭＦＰ以外の画像形成装置であっても良い。
【符号の説明】
【０１２３】
１０  ＭＦＰ（画像形成装置）
１２  タッチパネル
１４  プリンター（印刷デバイス）
１７ａ  装置制御プログラム
１８ａ  表示制御手段
１８ｂ  印刷設定管理手段
１８ｃ  印刷制御手段
２０  コピー画面（画面）
２８  コピー開始ボタン（印刷実行ボタン）
５０  「縮小／拡大」設定画面（画面）
【図１】
2016045905.tif 000003
【図２】
2016045905.tif 000004
【図３】
2016045905.tif 000005
【図４】
2016045905.tif 000006
【図５】
2016045905.tif 000007
【図６】
2016045905.tif 000008
【図７】
2016045905.tif 000009
【図８】
2016045905.tif 000010
【図９】
2016045905.tif 000011
【図１０】
2016045905.tif 000012
【図１１】
2016045905.tif 000013